(57)【特許請求の範囲】
【請求項１】
熱交換器と、前記熱交換器上部近傍に配された電装箱と、前記電装箱を覆蓋する電装箱上蓋と、前記熱交換器の風上側に感熱部を配した室外温度センサと、前記感熱部を前記熱交換器の上端より上方でかつ前記天板の内側に保持する保持部と、前記感熱部の上方に前記天板からの熱輻射を遮断する遮蔽板と、これらを入れる外箱に覆蓋する蓋状の天板とを備え、前記保持部と前記電装箱とを一体で形成し、前記天板の前記感熱部近傍に開口部を設け、前記保持部と前記遮蔽板とを一体で形成したことを特徴とする空気調和機の室外ユニット。
【発明の詳細な説明】
【技術分野】
【０００１】
本発明は、室外温度センサを有する空気調和機の室外ユニットに関するものである。
【背景技術】
【０００２】
従来、この種の空気調和機の室外ユニットは、外気の温度を検出する室外温度センサを、その室外温度センサが接続する制御基板等の電装品を収納した電装箱と一体にセンサ固定部を設けて、熱交換器の外気を吸込む風上側に配設するよう構成されている（例えば、特許文献１参照）。
【０００３】
図８は、特許文献１に記載された従来の空気調和機の室外ユニットの一部を省略した斜視図である。図８に示すように、室外ユニット１の外箱底板２の上には仕切板３、熱交換器４および送風機５が設置され、また仕切板３の上方には制御基板等の電装品を収納した電装箱６が設けられている。電装箱６の熱交換器４に面する一部は、熱交換器４の外気を吸込む風上側に延長されてセンサ固定部６ａを形成し、室外温度センサ７の感熱部７ａを保持している。
【特許文献１】特開平１１−２４８１９９号公報
【発明の開示】
【発明が解決しようとする課題】
【０００４】
しかしながら、前記従来の構成では、室外温度センサ７及び感熱部７ａは、外箱によって覆われていないので室外に露出しており、室外温度センサ７の保護および室外温度センサ７が直射日光を受けて誤った温度を検知するのを防止するためにセンサカバーが別途必要であり、コストアップし組立が煩雑になり、さらに室外ユニット１を組み立てる前の電装箱６として、センサ固定部６ａが突出しているため取り扱いにより変形、破損等の不良が発生し易いという課題を有していた。
【０００５】
本発明は、前記従来の課題を解決するもので、簡単な構造で室外温度センサを保護して温度誤検知を防止し、さらに電装箱単体として取り扱いが容易で組み立てやすい空気調和
機の室外ユニットを提供することを目的とする。
【課題を解決するための手段】
【０００６】
前記従来の課題を解決するために、本発明の空気調和機の室外ユニットは、熱交換器の風上側に感熱部を配した室外温度センサと、室外温度センサを保持する保持部とを備え、これらを入れる外箱に覆蓋する蓋状の天板を有し、感熱部を熱交換器の上端より上方でかつ天板の内側に保持するよう構成した保持部を電装箱と一体に形成し、天板の感熱部近傍に開口部を設けて構成されるものである。
【０００７】
これによって、空気調和機の室外ユニットは簡単な構造で室外温度センサを保護し、直射日光、熱交換器からの輻射や熱交換器を通過した空気等による温度誤検知を防止し、さらに電装箱単体として取り扱いが容易で組み立てやすくできる。
【発明の効果】
【０００８】
本発明の空気調和機の室外ユニットは、簡単な構造で室外温度センサを保護し直射日光、熱交換器からの輻射や熱交換器を通過した空気等による温度誤検知を防止し、さらに電装箱単体として取り扱いが容易で組み立てやすくでき、より品質のよい空気調和機をユーザに安価に提供することができる。
【発明を実施するための最良の形態】
【０００９】
第１の発明は、熱交換器と、熱交換器上部近傍に配された電装箱と、電装箱を覆蓋する電装箱上蓋と、熱交換器の風上側に感熱部を配した室外温度センサと、感熱部を熱交換器の上端より上方でかつ天板の内側に保持する保持部と、感熱部の上方に天板からの熱輻射を遮断する遮蔽板と、これらを入れる外箱に覆蓋する蓋状の天板とを備え、保持部と電装箱とを一体で形成し、天板の感熱部近傍に開口部を設け、保持部と遮蔽板とを一体で形成したことにより、簡単な構造で室外温度センサを保護し直射日光、熱交換器からの輻射や熱交換器を通過した空気等による温度誤検知を防止し、さらに電装箱単体として取り扱いが容易で組み立てやすく信頼性の高い空気調和機の室外ユニットを提供することができ、遮蔽板を設けて構成することにより、さらに日射により外箱天板が熱せられて生じる温度誤検知防止をより確実にすることができる。
【００１０】
以下、本発明の実施の形態について、図面を参照しながら説明する。なお、この実施の形態によって本発明が限定されるものではない。
【００１１】
（参考例１）
図１は、本発明の参考例１の形態における空気調和機の室外ユニットの一部を省略した破断斜視図、図２は、本発明の参考例１の形態における空気調和機の室外ユニットの一部を省略した平面図、図３は、本発明の参考例１の形態における空気調和機の室外ユニットの室外温度センサの感熱部近傍の断面図である。図１、図２および図３において、従来の技術の図８と同じ構成要素については同じ符号を用い、説明を省略する。
【００１２】
図１、図２、図３において、空気調和機の室外ユニット１は、送風機５と、熱交換器４と、熱交換器４上部近傍に配された電装箱６と、熱交換器４の風上側に感熱部７ａを配した室外温度センサ７と、室外温度センサ７を保持する保持部８とを備え、これらは外箱側板１１及び底板１０からなる外箱に収められている。また外箱を覆蓋する蓋状の天板９を有し、電装箱６の上部は電装箱上蓋１２で覆蓋されている。
【００１３】
保持部８は電装箱６の側面から略水平方向へ熱交換器４上を通って熱交換器４の風上側に延設され、電装箱６内の電装品に接続された室外温度センサ７は保持部８上を引き回されて、感熱部７ａを熱交換器４の風上で、熱交換器４の上端４ａより上方かつ外箱天板９
の内側に保持する。さらに天板９は室外温度センサ７の感熱部７ａ近傍に開口部９ａを設けて構成されている。
【００１４】
以上のように構成された空気調和機の室外ユニットについて、以下その動作、作用を説明する。
【００１５】
まず、送風機５の運転により室外の空気が熱交換器４を通って室外ユニット１の内部に流入するが、一部の空気は外箱天板９の開口部９ａより室外温度センサ７の感熱部７ａ近傍に流入し室外温度が検知される。
【００１６】
このとき熱交換器４から室外温度センサ７の感熱部７ａへの輻射は保持部８により遮られ、また室外温度センサ７の感熱部７ａを熱交換器４の外気吸込側端４ｂよりも風上で、熱交換器４の上端４ａより上方に設置することにより、熱交換器４を通過していない室外の空気を室外温度センサ７の感熱部７ａへ導き、より正確に温度を検知することができる。
【００１７】
また室外温度センサ７は外箱天板９の内側にあって保護されており直射日光による温度誤検知を防止できる。
【００１８】
さらに保持部８は電装箱６と一体に形成されているので、電源箱６単体として取り扱いが容易で不良を少なくすることができる。
【００１９】
以上のように、本参考例１においては、熱交換器の風上側に感熱部を配した室外温度センサの保持部を、熱交換器上部近傍に配された電装箱と一体に形成して、室外温度センサの感熱部を熱交換器の上端より上方でかつ外箱天板の内側に保持するように設置し、外箱天板の室外温度センサの感熱部近傍に開口部を設けて構成することにより、簡単な構造で室外温度センサを保護し直射日光および熱交換器からの輻射、熱交換器を通過した空気等による温度誤検知を防止しさらに電装箱単体として取り扱いが容易で組み立てやすくでき、より品質のよい空気調和機を提供することができる。
【００２０】
（実施の形態１）
図４は、本発明の第１の実施の形態における空気調和機の室外ユニットの室外温度センサの感熱部近傍の断面図である。図４において、図１、図２、図３および図８と同じ構成要素については同じ符号を用い、説明を省略する。
【００２１】
図４において、室外温度センサ７の感熱部７ａの上部を覆うように、外箱天板９と略平行に遮蔽板１３が設けられ、保持部８に取り付けられている。
【００２２】
以上のように構成された空気調和機の室外ユニットにおいては、板金で形成される事が多い外箱天板９からの熱輻射を遮蔽板１３により遮断してより正確に温度を検知することができる。
【００２３】
なお、遮蔽板１３はセンサ保持部８に一体に形成されても良い。
【００２４】
以上のように、本実施の形態においては、室外温度センサの感熱部の上方に遮蔽板を設けて構成することにより、簡単な構造でさらに確実に温度誤検知を防止し、より品質のよい空気調和機を提供することができる。
【００２５】
（参考例２）
図５は、本発明の参考例２の形態における空気調和機の室外ユニットの室外温度センサ
の感熱部近傍の断面図である。図５において、図１、図２、図３、図４および図８と同じ構成要素については同じ符号を用い、説明を省略する。
【００２６】
図５において、遮蔽板１３は電装箱上蓋１２を略水平方向に延設して室外温度センサ７の感熱部７ａの上方を覆うように構成されている。
【００２７】
以上のように構成された空気調和機の室外ユニットにおいては、さらに簡単な構成で外箱天板９からの熱輻射を遮蔽板１３により遮断してより正確に温度を検知することができる。
【００２８】
以上のように、本参考例２においては、遮蔽板を、電装箱に覆蓋する電装箱上蓋と一体に構成することにより、簡単な構造でさらに確実に温度誤検知を防止し、より品質のよい空気調和機を提供することができる。
【００２９】
（実施の形態２）
図６は、本発明の第２の実施の形態における空気調和機の室外ユニットの一部を省略した平面図、図７は、本発明の第２の実施の形態における空気調和機の室外ユニットの室外温度センサの感熱部近傍の断面図である。
【００３０】
図６および図７において、図１、図２、図３、図４、図５および図８と同じ構成要素については同じ符号を用い、説明を省略する。
【００３１】
図６、図７において、外箱天板９を、室外温度センサ７の感熱部７ａ近傍のみ外箱天板９の他の部分より熱交換器の風上側に延出形成して、延出部９ｂを形成している。
【００３２】
以上のように構成された空気調和機の室外ユニットにおいては、室外温度センサ７の感熱部７ａを外箱天板９の延出部９ｂに設置することにより、室外温度センサ７の感熱部７ａと周囲部品との距離を確保して周囲部品の温度変化の影響を削減する事ができさらに正確に温度を検知することができる。
【００３３】
以上のように、本実施の形態においては、外箱天板の室外温度センサの感熱部近傍を、外箱天板の他の部分より熱交換器の風上側に延出形成して構成することにより、簡単な構造でさらに確実に温度誤検知を防止し、より品質のよい空気調和機を提供することができる。
【産業上の利用可能性】
【００３４】
以上のように、本発明にかかる空気調和機の室外ユニットは、簡単な構造で室外温度センサを保護し温度誤検知を防止することが可能となるので、温度を検知して運転制御を行う送風機等の用途にも適用できる。
【図面の簡単な説明】
【００３５】
【図１】本発明の参考例１における空気調和機の室外ユニットの一部を省略した破断斜視図
【図２】本発明の参考例１における空気調和機の室外ユニットの一部を省略した平面図
【図３】本発明の参考例１における空気調和機の室外ユニットの室外温度センサの感熱部近傍の断面図
【図４】本発明の実施の形態１における空気調和機の室外ユニットの室外温度センサの感熱部近傍の断面図
【図５】本発明の参考例２における空気調和機の室外ユニットの室外温度センサの感熱部近傍の断面図
【図６】本発明の実施の形態２における空気調和機の室外ユニットの一部を省略した平面図
【図７】本発明の実施の形態２における空気調和機の室外ユニットの室外温度センサの感熱部近傍の断面図
【図８】従来の空気調和機の室外ユニットの一部を省略した斜視図
【符号の説明】
【００３６】
１  室外ユニット
２  外箱底板
３  仕切板
４  熱交換器
５  送風機
６  電装箱
６ａ  センサ固定部
７  室外温度センサ
７ａ  感熱部
８  保持部
９  外箱天板
９ａ  開口部
９ｂ  延出部
１０  底板
１１  外箱側板
１２  電装部上蓋
１３  遮蔽板
【図１】
0004830518.tif 000002
【図２】
0004830518.tif 000003
【図３】
0004830518.tif 000004
【図４】
0004830518.tif 000005
【図５】
0004830518.tif 000006
【図６】
0004830518.tif 000007
【図７】
0004830518.tif 000008
【図８】
0004830518.tif 000009